(57)【要約】【課題】コンクリートカッターの切断を阻む防護物ではなく、回転するコンクリートカッターの刃によって切り込まれた押しバネ又は押圧体の切断された両端部によって、コンクリートカッターの刃を強力に両側から押圧、把持することにより、コンクリートカッターの刃の回転を停止させる。また切断された後でも再度、防護物として埋設物防護の目的達成のために働くものである。【解決手段】鋼材から成る長尺な筒体の一方を閉鎖端とし、筒体の内側に筒体より長尺な一定長の押しバネ２を挿入し、押しバネ２を押圧して筒体内に設置した状態で、筒体の他方の開口部を閉鎖してこの筒体を地中に埋設し、長尺な筒体の側面をカッターの刃が切り込んで、筒体の内部の上記押しバネ２を切り込んだ際、筒体の両端の土砂層を反力受けとして、押圧された押しバネ２の反発力により、カッターの刃の両側から当該押しバネ２の切り込まれた端部が当該カッターの刃を挟持する。【選択図】図１
2005147204.tif 000002
【特許請求の範囲】
【請求項１】
鋼材から成る長尺な筒体の一方を閉鎖端とし、当該筒体の内側に当該筒体より長尺な一定長の押しバネを挿入し、当該押しバネを押圧して当該筒体内に設置した状態で、当該筒体の他方の開口部を閉鎖してこの筒体を地中に埋設し、
当該長尺な筒体の側面をカッターの刃が切り込んで、当該筒体の内部の上記押しバネを切り込んだ際、当該筒体の両端の土砂層を反力受けとして、上記押圧された押しバネの反発力により、カッターの刃の両側から当該押しバネの切り込まれた端部が当該カッターの刃を挟持することを特徴とする、地中埋設物防護体。
【請求項２】
鋼材から成る長尺な筒体の一方を閉鎖端とし、当該筒体の内側の閉鎖端側に一定長の押しバネを挿入して設け、さらに一定長の押圧体を挿入し、当該押圧体が押しバネを押圧した状態で、当該筒体の他方の開口部を閉鎖してこの筒体を地中に埋設し、
当該長尺な筒体の側面をカッターの刃が切り込んで、当該筒体の内部の上記押しバネ又は押圧体を切り込んだ際、当該筒体の両端の土砂層を反力受けとして、上記押圧された押しバネの反発力により、カッターの刃の両側から当該押しバネ又は押圧体の切り込まれた端部が当該カッターの刃を挟持することを特徴とする、地中埋設物防護体。
【請求項３】
上記長尺な筒体の内側に間隔を空けて複数の保持体を設け、当該複数の保持体で上記押圧体を上記筒体内での位置がずれないように保持することを特徴とする、上記請求項１又は２の何れかに記載の地中埋設物防護体。
【請求項４】
上記筒体の内側に挿入する押圧体として当該筒体の内径よりやや小さな外径の押圧体を使用したことを特徴とする、上記請求項１又は２の何れかに記載の地中埋設物防護体。
【請求項５】
上記筒体を縦断面長方形状の角筒体で設け、
当該角筒体の内側において、上記押しバネ及び押圧体を縦断面長方形状の長手方向の一方に偏った状態で設け、この状態で当該角筒体の両端の各開口部に固着した板体で当該押しバネ及び押圧体を支持し、当該筒体を地中に埋設し、
当該長尺な筒体の側面をカッターの刃が切り込んで、当該筒体の内部の上記押しバネ又は押圧体を切り込んだ際、当該筒体の、押しバネ又は押圧体の入っていない他方の側の筒体両端部を反力受けとして、上記押圧された押しバネの反発力により、カッターの刃の両側から当該押しバネ又は押圧体の切り込まれた端部が当該カッターの刃を挟持することを特徴とする、上記請求項１乃至３の何れかに記載の地中埋設物防護体。
【発明の詳細な説明】
【技術分野】
【０００１】
この発明は、道路の地下に埋設されている電力ケーブルや通信ケーブルなどの各種ケーブルを道路工事などの際に誤って切断しないようにするための地中埋設物防護体に関するものである。
【背景技術】
【０００２】
昨今、安全で快適な通行空間の確保、また都市景観の向上のために電気や通信などの各種ケーブルは、道路の地中に埋設されている。これらの電気や通信などの各種ケーブルは、生活者にとって極めて重要な施設であり、これらの施設が埋設された道路の掘削工事においては、誤ってこれらの施設を切断しないように、特にダイヤモンドの刃を備えたコンクリートカッターなどによる切断工事においては、細心の注意を払って行われている。
【０００３】
この様な電気や通信などの各種ケーブルなどの埋設物を誤って切断することを防ぐために、これらの埋設物の上部に鋼板を配置して、作業員にこれらの埋設物の存在を知らせ、誤切断の防止に努めている。この様なものとして、埋設物上に敷きつめられる比較的軟質で板状のベース鋼板と、このベース鋼板の上面に配設された前記ベース鋼板と同質の多数の短冊状の鋼板と、これらの鋼板を周囲に束ねた枠状鋼板とからなるブロック鋼板とを重なり合うようにして配設した地中埋設物防護板がある。
【特許文献１】特許第３４１８８５８号公報
【０００４】
またこの様なコンクリートカッターによる切断作業においては、コンクリートカッターの刃が作業中に何か未確認のものに接触した場合、停止せずに完全に切断したり、また一度引抜いて、近くの場所で再度コンクリートカッターを進めて切断して、埋設物の防護体があることに気付くことが多い。
【発明の開示】
【発明が解決しようとする課題】
【０００５】
しかしながら、コンクリートカッターも性能が向上し、切れ味鋭く、切断の際の振動や衝撃を抑えるようになっている。この様なコンクリートカッターを使用した場合、上記のような防護板を配置したとしても、誤ってこれらの防護板を切断し、さらに埋設物である電気や通信などの各種ケーブルを切断、又は損傷することが後を断たない。また後者の場合でも、防護物を切断した後では、もはや防護物として働かないものもある。
【０００６】
この発明は、これらの点に鑑みて為されたもので、単に、コンクリートカッターの切断を阻む防護物ではなく、回転するコンクリートカッターの刃によって切り込まれた押しバネ又は押圧体の切断された両端部によって、コンクリートカッターの刃を強力に両側から押圧、把持することにより、コンクリートカッターの刃の回転を停止させる。また切断された後でも再度、防護物として埋設物防護の目的達成のために働くものである。
【課題を解決するための手段】
【０００７】
請求項１の発明は、鋼材から成る長尺な筒体の一方を閉鎖端とし、当該筒体の内側に当該筒体より長尺な一定長の押しバネを挿入し、当該押しバネを押圧して当該筒体内に設置した状態で、当該筒体の他方の開口部を閉鎖してこの筒体を地中に埋設し、当該長尺な筒体の側面をカッターの刃が切り込んで、当該筒体の内部の上記押しバネを切り込んだ際、当該筒体の両端の土砂層を反力受けとして、上記押圧された押しバネの反発力により、カッターの刃の両側から当該押しバネの切り込まれた端部が当該カッターの刃を挟持する地中埋設物防護体とした。
【０００８】
請求項２の発明は、鋼材から成る長尺な筒体の一方を閉鎖端とし、当該筒体の内側の閉鎖端側に一定長の押しバネを挿入して設け、さらに一定長の押圧体を挿入し、当該押圧体が押しバネを押圧した状態で、当該筒体の他方の開口部を閉鎖してこの筒体を地中に埋設し、当該長尺な筒体の側面をカッターの刃が切り込んで、当該筒体の内部の上記押しバネ又は押圧体を切り込んだ際、当該筒体の両端の土砂層を反力受けとして、上記押圧された押しバネの反発力により、カッターの刃の両側から当該押しバネ又は押圧体の切り込まれた端部が当該カッターの刃を挟持する地中埋設物防護体とした。
【０００９】
請求項３の発明は、上記長尺な筒体の内側に間隔を空けて複数の保持体を設け、当該複数の保持体で上記押圧体を上記筒体内での位置がずれないように保持する上記請求項１又は２の何れかに記載の地中埋設物防護体とした。また請求項４の発明は、上記筒体の内側に挿入する押圧体として当該筒体の内径よりやや小さな外径の押圧体を使用した上記請求項１又は２の何れかに記載の地中埋設物防護体とした。さらに請求項５の発明は、上記筒体を縦断面長方形状の角筒体で設け、当該角筒体の内側において、上記押しバネ及び押圧体を縦断面長方形状の長手方向の一方に偏った状態で設け、この状態で当該角筒体の両端の各開口部に固着した板体で当該押しバネ及び押圧体を支持し、当該筒体を地中に埋設し、当該長尺な筒体の側面をカッターの刃が切り込んで、当該筒体の内部の上記押しバネ又は押圧体を切り込んだ際、当該筒体の、押しバネ又は押圧体の入っていない他方の側の筒体両端部を反力受けとして、上記押圧された押しバネの反発力により、カッターの刃の両側から当該押しバネ又は押圧体の切り込まれた端部が当該カッターの刃を挟持する上記請求項１乃至３の何れかに記載の地中埋設物防護体とした。
【発明の効果】
【００１０】
請求項１乃至５の各発明によれば、地中埋設物の上部両側にこの発明の地中埋設物防護体をあらかじめ埋設しておけば、地中埋設物防護体の内部に押しバネを押圧して設け、これらの押圧した力により、コンクリートカッターの刃によって切り込まれた押しバネ又は押圧体の切断両端部によって、コンクリートカッターの刃を強力に両側から押圧、把持し、コンクリートカッターの刃の回転を停止させるので、単なる障害物であるものと異なり、より確実に地中埋設物を防護することが出来る。また一度切断した後でも、地中に埋設されている以上、防護物としての働きを成すものであり、複数回に渡って切断されてもその用を成すものである。
【００１１】
請求項２の発明によれば、地中埋設物防護体の内部において、全て押しバネを使用する代わりに一部に押圧体を使用し、この押圧体によって押しバネを押圧したので、全て押しバネを使用する場合より、より安価に、また押しバネを安定して押圧することが出来、地中埋設物防護体として効果を確実に奏することができる。また請求項３の発明によれば、長尺な筒体の内側に間隔をあけて複数の保持体を設け、これらの複数の保持体で押圧体を定位置に保持したので、地中埋設物防護体がコンクリートカッターの刃によって切断され、コンクリートカッターを引抜いて、再びこの地中埋設物防護体をコンクリートカッターの刃により切断されても、この押圧体がずれて動くことが無く、さらにコンクリートカッターの刃が入ってきても、これを両端から押圧、把持して、回転を停止させることが出来る。
【００１２】
請求項４の発明によれば、上記請求項１又は２の何れかに記載の地中埋設物防護体の上記筒体の内側において、挿入する押圧体として筒体の内径よりやや小さな外径のものを使用したので、この押圧体が切断されたとしても、この筒体内部が狭く、筒体内部で押圧体の両端の切断面がずれ難く、また切り込みが入った状態で、このコンクリートカッターの刃を強力に押圧する端縁が大きいので、再びコンクリートカッターの刃が押圧体内に入ってきても、コンクリートカッターの刃の回転を停止させることが出来る。
【００１３】
請求項５の発明によれば、上記請求項１又は２の何れかに記載の地中埋設物防護体の筒体を縦断面長方形状の角筒体によって設け、この角筒体の内側において、上記押しバネ及び押圧体を縦断面長方形状の長手方向の一方に偏った状態で設け、この状態でこの角筒体の両端の各開口部に固着した板体でこの押しバネ及び押圧体を支持したので、コンクリートカッターの刃が地中埋設物防護体を切り込んでも、この地中埋設物防護体では、押しバネ及び押圧体と当接した板体の箇所及び当接していない板体の箇所の双方の箇所で反力を支えることが出来るので、地中埋設物防護体の両端の土砂層の地盤が弱く反力受けとならない場合でも、この地中埋設物防護体を使用することが出来る。
【発明を実施するための最良の形態】
【００１４】
鋼材から成る筒体の内部に押しバネを設け、さらに一定長の押圧体を挿通してこの押しバネの後端からこの押しバネを押圧し、この押圧体が押しバネを押圧した状態で、筒体の他方の開口部を閉鎖し、筒体の側面をコンクリートカッターの刃が切り込み、さらに上記押しバネ又は押圧体を切り込んだ際、筒体の両端の土砂層が反力受けとなって、上記押しバネの反発力により、この押しバネ又は押圧体の切り込まれた両端部によって、コンクリートカッターの刃を押圧、把持して停止させる。
【実施例１】
【００１５】
以下、この発明の実施例１を図に基づいて説明する。
この発明の地中埋設物防護体Ａは、図１に示すように、鋼材製の長尺な円筒体から成り、この地中埋設物防護体Ａの一方の開口部に外円板１ａを溶接してこの開口部を閉鎖し、この地中埋設物防護体Ａの内側に、外径が地中埋設物防護体Ａの内径よりやや小さく、地中埋設物防護体Ａよりやや長尺な押しバネ２を挿入し、この押しバネ２を地中埋設物防護体Ａ内に押圧して嵌め込み、この状態で、この地中埋設物防護体Ａの他方の開口部を上記一方の開口部と同様の外円板１ｂを溶接して閉鎖している。図１では、押しバネ２の両端のみを描いているが、中間も押しバネ２があることはもちろんである。
【００１６】
これにより、図１に示すように、この地中埋設物防護体Ａの内部において、押しバネ２は、押圧されて圧縮状態にあるため、常に伸張しようとする反発力が働いており、この押しバネ２の反発力により、地中埋設物防護体Ａ後端の外円板１ｂを押圧する力が働いている。また地中埋設物防護体Ａの一方の開口部に固着された外円板１ａにも押しバネ２から押圧される力が働いている。この地中埋設物防護体Ａの押しバネ２、各外円板１ａ、１ｂには、この様な作用及び反作用の力が働いており、これらの力が夫々拮抗した状態にある。
【実施例２】
【００１７】
次に、この発明の実施例２を図に基づいて説明する。
この発明の地中埋設物防護体Ｂは、図２に示すように、鋼材製の長尺な円筒体から成り、この地中埋設物防護体Ａの一方の開口部に外円板１ａを溶接してこの開口部を閉鎖し、この地中埋設物防護体Ａの内側の、一方の閉鎖した端部側に、外径が地中埋設物防護体Ｂの内径よりやや小さい、一定長の押しバネ２ａを挿入して設け、続いてこの押しバネ２ａの後端に、先端の開口部に内円板３を溶接して設けた押圧体４を挿入して上記押しバネ２ａをその後端から押圧している。この押圧体４は、管状で、上記地中埋設物防護体Ｂの内径の約半分の外径で、長さは地中埋設物防護体Ａの約８０％であり、上記先端に溶接した内円板３の直径は、この押圧体４の外径の約２倍であり、この押圧体４の先端でフランジ部を成して、地中埋設物防護体Ｂの内部を摺動自在であり、上記押しバネ２ａを均等に押圧している。また地中埋設物防護体Ｂの軸心と押圧体４の軸心を同じとなるように設けている。
【００１８】
また長尺な地中埋設物防護体Ｂの内側において、押圧体４を設けた箇所にドーナッツ状の複数の保持体５を一定間隔で複数設け、これらの複数の各保持体５の中央の貫通孔５ａ内にこの押圧体４を挿通し、この押圧体４を定位置で安定して保持している。そしてこの押圧体４が押しバネ２ａを押圧した状態で、この地中埋設物防護体Ｂの他方の開口部を、上記一方の開口部と同様の外円板１ｂを溶接して閉鎖している。
【００１９】
これにより、図２に示すように（図２における各矢印参照）、この地中埋設物防護体Ｂの内部において、押しバネ２ａは、押圧体４によって押圧されて圧縮状態にあるため、常に伸張しようとする反発力が働いており、この押しバネ２ａの反発力により、押圧体４には常に、地中埋設物防護体Ｂ後端の外円板１ｂを押圧する力が働いている。また地中埋設物防護体Ｂの一方の開口部に固着された外円板１ａにも押しバネ２ａから押圧される力が働いている。この地中埋設物防護体Ｂの押しバネ２ａ、押圧体４、内円板３、各外円板１ａ、１ｂには、この様な作用及び反作用の力が働いており、これらの力が夫々拮抗した状態にある。
【００２０】
この様にして形成した地中埋設物防護体Ｂを地中に埋設し、コンクリートカッターの誤切断から地中埋設物を防護する様子を説明する。
図３及び図４に示すように、埋設物として地中に電線共同溝６が埋設されている。この電線共同溝６の内側には、電力ケーブル７や通信ケーブル８などが挿通されている。この電線共同溝６の長手方向の両側上方に、この長手方向に直交する方向（図３における矢印参照）に隙間を作らないように、地中埋設物防護体Ｂを配置している。
【００２１】
この状態で上記長手方向に直交する方向からコンクリートカッターが進行してきた場合、コンクリートカッターの刃９ａは、まず地中埋設物防護体Ｂの側面を切り込んで、この地中埋設物防護体Ｂの内部にコンクリートカッターの刃９ａが入り込み、さらに上記押圧体４の側面を切り込む。この時コンクリートカッターの刃９ａは、切り込んだ押圧体４の両側面に挟まれており、上記地中埋設物防護体Ｂの両端の土砂層を反力受けとして、押しバネ２ａの反発力がこの押圧体４の側面を伝わり、この押圧体４の切り込まれた端部の両側からコンクリートカッターの刃９ａを強力に押圧、把持して、このコンクリートカッターの刃９ａの回転を停止させる（図７の矢印参照）。
【００２２】
またこのコンクリートカッターの刃９ａを引き抜くと、押しバネ２はややゆるむが、依然として圧縮されている。従って、再び押しバネ２又は押圧板４がコンクリートカッターに切断されても、前回と同様にコンクリートカッターの刃９ａを停止させることができる。また上記実施例１のものもこの実施例２と全く同様の作用をする。
【００２３】
また地中埋設物防護体Ｂの内側にドーナッツ状の保持体５によって押圧体４を把持しているので、地中埋設物防護体Ｂがコンクリートカッターの刃９ａによって切断され、コンクリートカッターを引抜いても、二分された押圧体４がずれて動くことが無く、再びこの地中埋設物防護体Ａをコンクリートカッターの刃９ａにより切断されて、さらにコンクリートカッターの刃９ａが入ってきても、上記と同様にコンクリートカッターの刃９ａを両端から押圧、把持して、回転を停止させることが出来る。
【００２４】
この様にして、例えコンクリートカッターの刃による切断が行われたとしても、電線共同溝６の長手方向の両側に設けたこの発明の地中埋設物防護体Ｂによって、このコンクリートカッターの刃９ａの一部を左右から強力に挟持して、このコンクリートカッターの刃９ａの回転を停止させて電線共同溝６内の電力ケーブル７や通信ケーブル８を防護することが出来る。
【実施例３】
【００２５】
次にこの発明の実施例３について説明する。この実施例３の地中埋設物防護体Ｃの、上記実施例２の地中埋設物防護体Ｂと同様の構成については、その説明を省略し、地中埋設物防護体Ｂと異なる構成についてのみ説明をする。実施例３の地中埋設物防護体Ｃは、図５及び６に示すように、上記地中埋設物防護体Ｃの内側で押しバネ２ａを強力に押圧する押圧体１０を地中埋設物防護体Ｃの内径よりやや小さい外径を有するものを使用している。
【００２６】
この様に設けたことにより、コンクリートカッターの刃９ａによって、図７に示すように、地中埋設物防護体Ｃ内側の押圧体１０の側面に切り込みが設けられた場合又は切断された場合でも、この押圧体１０の径が大きく、地中埋設物防護体Ｂ内側が狭いので、地中埋設物防護体Ｃの内部で押圧体１０の両端の切断面がずれ難く、再びコンクリートカッターの刃９ａが入っても確実にコンクリートカッターの刃９ａを回転を停止することが出来る。
【実施例４】
【００２７】
次にこの発明の実施例４について説明する。この実施例４の地中埋設物防護体Ｄも上記実施例３と同様に実施例２の地中埋設物防護体Ｂと異なる構成についてのみ説明をする。実施例４の地中埋設物防護体Ｄは、図８及び９に示すように、上記地中埋設物防護体Ｄを成す円筒体に代えて、上記実施例２における押しバネ２ａ及び押圧体４を２組横に並べて設けられる程度の大きさを有する縦断面長方形状の角筒体から設けている。
【００２８】
そしてこの様な角筒体の内側において、上記押しバネ２ａ及び押圧体４を縦断面長方形状の長手方向の一方に偏った状態で１組設けている。この状態で上記実施例２の地中埋設物防護体Ｂと同様に、押圧体４を設けた箇所に、側面コの字型で下部に貫通孔１１ａを設けた保持体１１を一定間隔で複数個設け、これらの保持体１１の貫通孔１１ａ内に押圧体４を挿通して押圧板４を保持している。
【００２９】
この実施例４では、押しバネ２ａの内側に押圧体４の先端を挿入しており、この押圧体４において、押しバネ２ａを押圧する外周位置に内板体１２を固着して設け、この内板体１２は、角筒体の地中埋設物防護体Ｄの縦断面形状と略同じで、その大きさは角筒体の縦断面よりやや小さく、下部に押圧体を挿通する貫通孔を穿って成っている。さらに地中埋設物防護体Ｄの両端の開口部を閉鎖する外板体１３ａ、１３ｂは、角筒体の断面形状と同じで、その大きさは角筒体の縦断面よりやや大きなものと成っている。また押しバネ２ａの一端は、外板体１３ａに、その他端は、内板体１２に押し付けられて圧縮している。
【００３０】
この実施例４の地中埋設物防護体Ｄの設置に際しては、コンクリートカッターの刃９ａの接近が予想される側に、図１０に示すように、この地中埋設物防護体Ｄの押しバネ２ａ及び押圧体４を設けた側が来るように設置する。
これにより、コンクリートカッターの刃９ａが進行し、この地中埋設物防護体Ｄの押しバネ２ａ又は押圧体４を切り込んでも、この地中埋設物防護体Ｄでは、外板体１３ａ、１３ｂを溶接して固着している箇所を上記実施例１乃至３のおよそ２倍設けてあり、この地中埋設物防護体Ｄの外板体１３ａ、１３ｂにおける押しバネ２ａ及び押圧体４と当接した箇所及び当接していない双方の箇所で反力を支えることが出来るので、例えこの地中埋設物防護体Ｄを設置した場所の地盤が弱い場合でも、確実にこの地中埋設物防護体Ｄの効果を発揮することができる。
【００３１】
上記実施例においては、地中埋設物防護体Ａ乃至Ｄを形成する各部の形状や大きさなどを示す記載をしているが、これらの各部の形状等はこれらのものに限定するものではない。また地中埋設物防護体Ｂ及びＣの内部において、コンクリートカッターの刃９ａが切り込む場合を押圧体４、１０の場合のみで説明しているが、コンクリートカッターの刃９ａが切り込むのは、押圧体４、１０の他、もちろん押しバネ２、２ａの箇所に切り込む場合もある。そしてこれらの場合も、地中埋設物防護体Ａ乃至Ｄの内部の各部においては、上記押圧体４、１０に切り込んだ場合と同様に押しバネ２，２ａによって押圧、把持される。
【００３２】
また押圧体４として管状のものを使用しているが、押圧体４としては、管状のものに限定するものではなく、中実のものでもよい。保持体５、１１として、ドーナッツ状のものや側面コの字型で下部に貫通孔を設けたものを使用しているが、保持体の形状はこれらのものに限定するものではない。さらに実施例４の地中埋設物防護体Ｄを、上記実施例２における押しバネ２ａ及び押圧体４を２組横に並べて設けられる程度の大きさを有する縦断面長方形状の角筒体から設けているが、地中埋設物防護体Ｄを形成する角筒体の大きさは、これらのものに限定するものではない。また防護する地中埋設物として電線共同溝６を使用しているが、防護する地中埋設物としては、電線共同溝６に限定するものではなく、地中に直接埋設している管路を防護する場合も使用出来る。
【図面の簡単な説明】
【００３３】
【図１】この発明の実施例１の地中埋設物防護体の一部縦断面正面図である。
【図２】この発明の実施例２の地中埋設物防護体の一部縦断面正面図である。
【図３】この発明の実施例２の地中埋設物防護体を道路の地中に埋設した電線共同溝の両側に隙間がないように配置した状態を示す説明平面図である。
【図４】この発明の実施例２の地中埋設物防護体を道路の地中に埋設した電線共同溝の両側に配置し、この地中埋設物防護体にコンクリートカッターの刃を切り込ませてコンクリートカッターの刃の回転を停止させた状態の説明図である。
【図５】この発明の実施例３の地中埋設物防護体の一部縦断面正面図である。
【図６】この発明の実施例３の地中埋設物防護体の側面図である。
【図７】この発明の実施例３の地中埋設物防護体を地中に埋設し、この地中埋設物防護体にコンクリートカッターの刃を切り込んだ状態を示し、さらにこの状態で力が働く様子を矢印で示した説明図である。
【図８】この発明の実施例４の地中埋設物防護体の一部水平断面正面図である。
【図９】この発明の実施例４の地中埋設物防護体の側面図である。
【図１０】この発明の実施例４の地中埋設物防護体を道路の地中に埋設した電線共同溝の両側に配置し、この地中埋設物防護体にコンクリートカッターの刃を切り込ませてコンクリートカッターの回転を停止させた状態の説明図である。
【符号の説明】
【００３４】
Ａ    地中埋設物防護体  
１ａ  外円板                          １ｂ  外円板              
２    押しバネ
Ｂ    地中埋設物防護体
２ａ  押しバネ                        ３    内円板
４    押圧体                          ５    保持体
６    電線共同溝                      ７    電線ケーブル
８    通信ケーブル                    ９ａ  コンクリートカッターの刃
Ｃ    地中埋設物防護体
１０    押圧体                        
Ｄ    地中埋設物防護体
１１    保持体                        １２    内板体
１３ａ  外板体                        １３ｂ  外板体
【図１】
2005147204.tif 000003
【図２】
2005147204.tif 000004
【図３】
2005147204.tif 000005
【図４】
2005147204.tif 000006
【図５】
2005147204.tif 000007
【図６】
2005147204.tif 000008
【図７】
2005147204.tif 000009
【図８】
2005147204.tif 000010
【図９】
2005147204.tif 000011
【図１０】
2005147204.tif 000012